Podtech/llm-jp-corpus-v4-ja_patent huggingface dataset:
(57)【要約】      （修正有）【課題】大きな絵画用で軽量で折りたたみが出来る展覧会用の額ぶちを提供する。【解決手段】４つの角に角どめ１、３、６、８をそなえ辺の中央部に中央どめ２、４、５、７をそなえ角どめから羽を中央どめにむかって突設させ羽を中央どめに出入する。【選択図】図１
0003208277.tif 000002
【実用新案登録請求の範囲】
【請求項１】
大型絵画の額（３０号）〜（１００号）等については従来の釘を何本も打ち作業に時間がかかった。
新しい額の考案は取り外し簡単で軽量かつ折りたためるので便利である。使い回しができる。
【請求項２】
キャンバスの裏側に磁石を（接着剤で付ける）利用すれば額の釘は４ヶ所で十分である。大型１００号に限っては釘の数を増やすことを希望する。目下キャンバスについても申請する。
【考案の詳細な説明】
【技術分野】
【０００１】  展覧会等に依る展示の最軽量でコンパクトに出来、幾通りにも使用できます。
【背景技術】
【０００２】  キャンバスの裏側木材部分に磁石を取り付け従来のくぎ打ちを最小限にしました。（キャンバスについては別個出願します）
【先行技術文献】
【特許文献】
【０００３】
【特許文献１】  実願２００７−２６７８
【特許文献２】  特開２０１２−２４９７９５
【０００４】
【非特許文献】
【非特許文献】  なし
【考案の概要】
【考案が解決しようとする課題】  特開２０１２−２４９７９５は展示用というより家庭用のスケッチブック集等にふさわしいと思われる。大きな展覧会等には不向きであります。【０００５】  額は絵を引き立てるばかりか会場をも引き立てます。広くて大きな会場では大型の作品は勿論大型の額であることは言うまでもありませんが、とりわけ取り外し折りたたみが出来、更に軽いということは移動にしても便利と思われます。
【課題を解決するための手段】
【０００６】  額がいかに美しく絵を引き立てられるか、簡単に持運び可能か
【考案の効果】
【０００７】  従来の額と異なるところはキャンバスに磁石が付いている。軽量で、かつ取り外しが出来て折りたたむことによって小型化もできる。キャンバスについては別紙意匠にて申請中につき、一律化されることを願出ます。
【図面の簡単な説明】
【０００８】
【図１】各パーツ
【図２】横方向
【図３】組立
【考案を実地するための形態】
【０００９】  伸縮の中心部の重なりをいかにスムーズにしっかりと裏のキャンバスの磁石に（又はくぎで）併合できるか。目下のところキャンバスに磁石を付けて使用するかまたは釘を打つ方法、いずれも可能。（磁石キャンバス意匠申請中）
【実地例】
【００１０】  左上角どめ又は右上角どめの下方の羽を上手くスムーズに伸ばせるか。
【００１１】  右中央どめについても同様に中の羽をスムーズに出入れできるよう努力する。
【００１２】  額全体のバランスを保ち取り外しをスムーズに折りたたみ、出来るだけ軽量化できるように努力する。
【符号の説明】
【００１３】  １    左角額上
２    左中央袋どめ
３    左角額下
４    上中央袋どめ
５    下中央どめ
６    右角額上
７    右中央袋どめ
８    右角額下
９    左角額上横くぎどめ
１０  左中央袋どめくぎどめ
１１  左角額下くぎどめ
【図１】
0003208277.tif 000003
【図２】
0003208277.tif 000004
【図３】
0003208277.tif 000005
【手続補正書】
【提出日】平成28年10月13日(2016.10.13)
【手続補正１】
【補正対象書類名】実用新案登録請求の範囲
【補正対象項目名】全文
【補正方法】変更
【補正の内容】
【実用新案登録請求の範囲】
【請求項１】
４つの角に角どめをそなえ辺の中央部に中央どめをそなえ角どめから羽を中央どめにむかって突設させ羽を中央どめに出入する額ぶち。
(57)【要約】      （修正有）【課題】見た目はともかく安価で一週間位は水を補充する事ができる自動水補充具を提供する。【解決手段】水補充の為のタンク５と成るペットボトル等のキャップ４に孔を明ける、その孔の径はタンク５を設置する為の棒２の太さにもよるので、水を入れたタンク５を支える事からして、直径１２ミリ位と思われる、ホース３の外径はキャップ４の孔の径からして直径１３ミリ位と思われる、それからするとホース３の内径は直径９ミリと成りその中に入る棒２は５ミリ位の丸棒か、５ミリ位の角棒と成る、棒２の長さはタンク５と花器１にもよるので長めにしてハサミ等で切って調整する、その結果切花の寿命まで水を補充する事が出来る。【選択図】図１
0003208276.tif 000002
【実用新案登録請求の範囲】
【請求項１】
花器に水を補充する為の水タンクを花器に設置する為に１本棒で設置をする事を特徴とする。水タンク、棒、花器の組合せの自動水補充具。
【考案の詳細な説明】
【技術分野】
【０００１】墓の花器に飾った切花は水さえ有れば真夏でも一週間位は綺麗さを保てる、しかし真夏の３５度が続く様な天気では墓の小の花器では２４時間以前に水はゼロに成ってしまいしおれてしまう、大の花器においても切花の量にもよるが２日はもたない、今まで花を飾った後の事は気にもとめて居なかった、しかしせっかくお金を使って飾った花でも有る事から安価で有るか、自分で製作出来るので有れば墓花を長持ちさせたいと思うのはだれしもだと思う。
【背景技術】
【０００２】墓の花器への自動水補充具は花器の上部に設置する磁器製あるいは陶器製の物は平成２７年に出願（審査請求はまだ）して販売している。
【考案の開示】
【考案が解決しようとする課題】
【０００３】全国に無数に有るお墓に自動水補充を普及させる為には磁器製及び陶器製の自動水補充具は一対として販売すると一万円近くに成る為に、亡くなられた方への想いが強くないとどんどん普及すると言うわけにはいかないのが現状です、安価でその材料は日本全国で簡単に入手出来るので、真夏の墓の花器の水は２４時間持たない物が有る事を知ればこの案は普及すると思っています。
【課題を解決する為の手段】
【０００４】ペットボトル状の容器のキャップに直径１２ミリ以上の孔を明ける（その位の径でないと水の入った容器を支える棒との関係が有る為）その径の孔に合うビニールホース等を圧入する、そしてそのホースの中に抵抗なく差し込めるほどの太さの容器に水を入れた状態の容器の重さをささえられる強さの素材で有って尚且つ水で腐食する事の無い素材で有る事が望まれる棒を差し込み、その棒の他端をお墓の花器に差し込みキャップがお墓の花器の上辺より多少下った所に成る様に棒の長さで調整する事により定める。
【考案の効果】
【０００５】ペットボトル等の容器は日本全国どこでも手に入れる事は出来る、器用な人で有ればキャップに孔を明けてその孔に合うホースを圧入する事とささえ棒を調達する事は容易に出来る、一度ペットボトル等の孔明けキャップを入手してあれば特種な物以外そのキャップは他の容器に使用出来るので日本全国に有る無数の墓に安価又は容易に作製出来る案を提供する事により心のこもった墓参りが出来る。
【考案を実施する為の最良の形態】
【０００６】切り花の手入れ管理は以前は毎日水を取り替えて何日かおきに切り口を切り戻す事が最良とされて来た。しかし近年切花を長持ちさせて、真夏の一ヶ月たっても水が腐らない、優秀な切花の長持ち剤が市販されている、それらと併用すると墓の切花に最良の環境を作る事が出来る。
【図面の簡単な説明】
【０００７】
【図１】お墓の花器への自動水補充具の全部材の側面図
【符号の説明】
【０００８】１      お墓の花器
２      お墓の自動水補充具タンクの支え棒
３      お墓の花器への水補充の為の花器の水位定めホース
４      タンクより花器に水を補充する為のキャップに孔を明け花器の水位を定める為の        ホースを圧入したタンクキャップ
５      ペットボトル等の花器に水を補充する為のタンク
【図１】
0003208276.tif 000003
(57)【要約】      （修正有）【課題】水の入手が困難な災害時にも非常用電源として使用できるマグネシウム−空気電池発電パックを提供する。【解決手段】マグネシウム−空気電池発電素子２と、１個以上の柔らかい材質で加工された水容器３とを同一の筐体に収容し、筐体の上部に付属の突起棒７で水容器を破壊する為の穴８を設ける。水容器の収容台４の構造は、破水した水が発電素子に即供給可能な網状の棚であり、内部の水が漏れにくい簡易防水機能を備え、電力を取り出す為の電極５、６を備える。突起棒で水容器を破壊することにより、マグナシウム−空気電池素子に水を供給し発電させる。防災ラジオや、携帯電話、スマートホンの充電器、ランタンなどの照明など多用途に利用できる。【選択図】図１
0003208274.tif 000002
【実用新案登録請求の範囲】
【請求項１】
マグネシウム−空気電池発電素子と、１個以上の柔らかい材質で加工された水入容器を同一筐体に収容し、筐体上部に突起棒で水容器を破壊する為の穴、水容器の収容棚の構造は破水した水が発電素子に即供給可能な網状の棚、内部の水が漏れにくい簡易防水機能がある。又電力を取り出すための電極も備えてある。
本電池パックに付属した突起棒で水容器を破壊し水容器内の水でマグネシウム−空気電池発電素子に水を供給し発電させる事を特徴としたマグネシウム−空気電池発電パック。
【考案の詳細な説明】
【技術分野】
【０００１】マグネシウム−空気電池素子と１個以上の水入容器を同一筐体に収容したマグネシウム−空気電池発電パックに関する。
【背景技術】
【０００２】マグネシウム−空気電池発電素子は、水分を与える事により自己発電することは周知の事実である。
現在同種の電池は、各種販売されているが非常災害時などを想定し、発電セルの収容ケースに外部から水分を与える事で発電するようになっている。非常災害時などでは水の入手も困難な場合があり、せっかくのマグネシウム−空気電池を使用することが出来ない場合がある。【０００３】災害時の電源のほとんどは一次電池に頼っているが、大災害などでは電池の入手も困難で生活に支障が生じている。
【考案の概要】
【考案が解決しようとする課題】
【０００４】災害時に非常電源として重要視されているのがマグネシウム−空気電池であるが、発電させるには必ず水分が必要となり非常時では水の入手も困難な為即、使用出来ない場合がある。
【課題を解決するための手段】
【０００５】本考案はマグネシウム−空気電池発電素子と、柔らかなカプセルやビニール袋などの水容器に入れた水を発電素子と同一ケースに収容し一体化した。
非常時は、電池に付属してある突起した棒で柔らかなカプセルやビニール袋に入った水袋を裂きマグネシウム−空気電池発電素子に水を与えることで自己発電が開始され、非常用電池として容易に使用出来るようにした。【０００６】マグネシウム−空気電池は発電中に発熱し水分を蒸発させる。水分が不足すると発電能力が低下してくる。このため再度水分の補給する事で発電能力は復帰させられる。この様な特性から、カプセルやビニール袋に入れた水容器を複数個同一ケースに収容し、発電能力が低下したら，他の袋の水を発電素子にあたえる事で長時間の発電が可能となる。
【考案の効果】
【０００７】マグネシウム−空気電池はマグネシウムと大気中の酸素、水の化学反応で発電をする事は周知の事実である。この特性から電池本体に水を与えなければマグネシウム−空気電池は１０年程度の長期間保存が可能で、いつ来るか解らない災害用の電池としては最適である。
災害時発電素子と同一筐体に一体化して収容されている水を供給する事で自己発電し、緊急時の各種電源として使用出来る。
【図面の簡単な説明】
【０００８】
【図１】マグネシウム−空気電池発電パックの構造
【考案を実施するための形態】
【０００９】以下、本考案の実施の形態を図１にて説明する。
【実施例】
【００１０】図１はマグネシウム−空気電池発電パックを示したものである。１は発電パック本体で水が本体に入っても水を保持し簡易防水構造となっている。
２はマグネシウム−空気電池発電素子でこの素子に水分を供給すると化学反応で発電をする。３は水を入れる水容器でたとえば柔らかいカプセルやビニール袋の様な物で７の突起棒で突くと破損しやすい材質である。４は水容器の収容台で発電素子側は網状の構造で水容器からの水を即発電セルへ供給出来る構造になっている。
５，６は電力の出力端子である。
７は水供給の為の突起棒、８は突起棒を挿入し水容器を破壊するための穴と、発電すると水素ガスが発生するためこれを逃がすガス抜き穴である。【００１１】使用方法は、８の穴に７の突起棒で水容器を破壊し、水を発電素子へ供給する。発電が進むにつれ、水は蒸発し、発電能力が低下する。更に７の突起棒にて他の水容器を破壊し発電素子に水を供給すると再発電が継続される。この様に本電池のマグネシウムが完全に酸化するまで使用できる。
【産業上の利用可能性】
【００１２】防災告知受信機、公共防災受信機の機器内蔵非常用電源装置、携帯電話やスマートホンの充電装置、簡易照明など幅広く応用可能。
【符号の説明】
【００１３】  １はマグネシウム−空気電池発電パック本体
２はマグネシウム−空気電池発電素子
３は水カプセルビニール袋の水容器
４は水カプセルビニール袋の水容器の網状収容台
５はプラス電極
６はマイナス電極
７は突起棒
８は突起棒差し込み穴兼ガス抜き穴
【図１】
0003208274.tif 000003
【手続補正書】
【提出日】平成28年10月12日(2016.10.12)
【手続補正１】
【補正対象書類名】実用新案登録請求の範囲
【補正対象項目名】全文
【補正方法】変更
【補正の内容】
【実用新案登録請求の範囲】
【請求項１】
マグネシウム−空気電池発電素子２と、１個以上の柔らかい材質で加工された水容器３とを同一の筐体に収容し、
前記筐体の上部に付属の突起棒７で前記水容器を破壊する為の穴８を設け、前記水容器の収容台４の構造は、破水した水が発電素子に即供給可能な網状の棚であり、内部の水が漏れにくい簡易防水機能を備え、
電力を取り出す為の電極５、６を備えてあり、
前記突起棒で前記水容器を破壊することにより、当該水容器内の水でマグナシウム−空気電池素子に水を供給し発電させる事を特徴としたマグネシウム−空気電池発電パック。
(57)【要約】      （修正有）【課題】軽量で組立も簡単であり尚且つ額も装飾を考慮した磁石つきキャンバスを提供する。【解決手段】キャンバスの木わくに磁石をつけた磁石つきキャンバスである。【選択図】図１
0003208278.tif 000002
【実用新案登録請求の範囲】
【請求項１】
キャンバスの板に磁石をつけ（軽量額で磁石併用の額）と共に展示する事を提供す。
キャンバスは従来木材のみで釘を額と合わせて打込なければならずかなりの労力であるが、磁石についてはちょっと貼り付けるのみで非常に簡単である。取り外しにも又同様である。キャンバスの板に磁石をつけるため四角の切り込みを入れる。
【考案の詳細な説明】
【技術分野】
【０００１】  本考案は非常に簡単明瞭で従来のキャンバス裏面に磁石を組み込み額と合体し簡単に組み立てることを目的としたもの。
【背景技術】
【０００２】  展覧会等の展示軽量持込、持出し軽量かつ大型展示時に取付け簡単。
【先行技術文献】
【特許文献】
【０００３】
【特許文献１】庁内整理書６７６６−３Ｂ
【特許文献２】庁内整理書７０４０−２Ｃ  展示画板については風景画や画紙を使用したコンパクトの収納キャンバスを発明している。大型の絵画展示とは大いにかけ離れている。【０００４】
【非特許文献】
【非特許文献】なし
【考案の概要】
【考案が解決しようとする課題】
【０００５】  従来の展覧会の発表は木製で重量もあるものなので運搬にも労を要したが、軽量で組立も簡単であり尚且つ額も装飾を考慮したものであり大いに期待される。
【課題を解決するための手段】
【０００６】  従来にはない、キャンバスに取り付ける磁石の利用である。キャンバスについては何の変化も見られないが裏面に取付ける磁石の効果は大で画期的である
【考案の効果】
【０００７】  従来のキャンバスは額にはめ込むだけで何の考えもなく額をキャンバスに釘を打ち込むのに労を要した。
【図面の簡単な説明】
【０００８】
【図１】キャンバス裏側磁石をつけたい部所
【図２】キャンバス横側
【図３】横方向磁石のつり方
【考案を実地するための形態】
【０００９】  キャンバス裏面の中心部（中央部）両面に二か所磁石を取り付け、縦の二本のキャンバスについても同様の磁石を取り付ける。磁石の形に合わせ木枠に溝を作り、そこに磁石を埋め込む。キャンバスの大きさで磁石の数を調整していく。
【実地例】
【００１０】  キャンバスに付着する磁石については四角形のものを取付ける。中心部に釘を打つ穴があるので取付も簡単である。従って四角の磁石の同じ形を木材に切り込みを入れ磁石の取付とする。
【符号の説明】
【００１１】  １  キャンバス裏面磁石取付及び取付溝
２  キャンバス横面磁石取付及び取付溝
３  キャンバスの大きさで磁石調整す
【図１】
0003208278.tif 000003
【図２】
0003208278.tif 000004
【図３】
0003208278.tif 000005
【手続補正書】
【提出日】平成28年10月13日(2016.10.13)
【手続補正１】
【補正対象書類名】実用新案登録請求の範囲
【補正対象項目名】全文
【補正方法】変更
【補正の内容】
【実用新案登録請求の範囲】
【請求項１】
キャンバスの木わくに磁石をつけた磁石つきキャンバス。
(57)【要約】      （修正有）【課題】水を含んだ砂や土を土のう袋に入れた際に，砂や土から水分を取り除き，軽くする筒状の用具を提供する。【解決手段】土のう袋の内側に接して，蓋も底も無い筒状の用具を入れることで，土のう袋自体の底の部分から水分を取り除くことができる。蓋も底も無い筒状の用具を内側に挿入することで，土のう袋に砂や土を入れた後に小さい力で用具を引き抜き，一人でも簡単に土のうを作ることができる。【選択図】図１
0003208289.tif 000002
【実用新案登録請求の範囲】
【請求項１】
土のうを作る際，土のう袋の口を開き，袋が立った状態を保持させるために，土のう袋の内側に入れる蓋も底も無い筒状の用具（土のう袋開口自立器）。
【考案の詳細な説明】
【技術分野】
【０００１】  本発明は土のうを１人で容易に作ることができる用具である。
【背景技術】
【０００２】  １人で土のうを作る際に蓋をとったオイル缶（オイルやワックスなどが入っていた容積約１８Ｌの円柱状の缶）の中に土のう袋を広げて入れ，オイル缶の口に広げた土のう袋の口を折り返して取り付け，土のう袋にスコップで砂や土を入れていた。【０００３】  しかし，水を含んだ砂や土は重いだけでなく，土のう袋がオイル缶の内側に張り付き，土のうを取り出すのに大きな力が必要である。また，乾燥している砂や土を入れた場合でも，オイル缶から砂や土を入れた土のう袋を取り出す時にはオイル缶の内側に向けた圧力がかかり，容易には取り出せない。
【考案の概要】
【考案が解決しようとする課題】
【０００４】  水を含んだ砂や土を土のう袋に入れた際に，砂や土から水分を取り除くことで重量を軽くすることが課題である。【０００５】  砂や土を入れた土のう袋をオイル缶から取り出す時に，土のう袋が缶の内側に張り付かないようにすることが課題である。
【課題を解決するための手段】
【０００６】  本発明は土のう袋をオイル缶の中に入れて口を開かせ，立ったような状態にするのではなく，土のう袋の内側に図１のような蓋も底も無い筒状の用具（土のう袋開口自立器）を図２のように入れることで課題の解決を図ることを最も主要な特徴としている。
【考案の効果】
【０００７】  土のう袋の内側に接した，蓋も底も無い筒状の用具（土のう袋開口自立器）を入れることで，水を含んだ砂や土を土のう袋に入れた際に，土のう袋自体の底の部分から水分を取り除くことができ，出来上がった土のうを軽くすることができる。【０００８】  土のう袋の内側に蓋も底も無い筒状の用具（土のう袋開口自立器）を入れることで，土のう袋の口を開き，土のう袋を立たせ，一人で土や砂を土のう袋に入れることができる。そして，砂や土をいっぱいにつめ終えた土のう袋から，蓋も底も無い筒状の用具（土のう袋開口自立器）は容易に引き抜け，簡単に一人で土のうを作ることができる。
【図面の簡単な説明】
【０００９】
【図１】土のう袋開口自立器
【図２】土のう袋に入れた土のう袋開口自立器
【図３】土のう袋開口自立器を使いやすくするための工夫
【考案を実施するための形態】
【００１０】  使いやすくするために，土のう袋開口自立器の上部に持ち手を２か所取り付けることによって，土のう袋から土のう袋開口自立器を引き抜きやすくすることができる。図３ａ
【００１１】  土のう袋開口自立器の下部を上部より少し小さくすることで，重ねて保管することができる。図３ｂ
【図１】
0003208289.tif 000003
【図２】
0003208289.tif 000004
【図３】
0003208289.tif 000005
(57)【要約】      （修正有）【課題】オリジナル性が高い金属銘板を使用し、低コストでかつ１点ものを製作することができる装飾体を提供する。【解決手段】金属板に対象者の年表・経歴・職歴・成績・功績・表彰歴・写真・イラスト・徽章類の中から少なくとも一つを表示するとともに装飾配置した金属銘板１を額縁２に納めた装飾体である。特殊なプリンター・レーザー加工機・腐食加工技術などの装飾配置を組み合わせることによって、金属銘板１を使用した装飾体を低コストで製作することができるようになった。【選択図】図１
0003208288.tif 000002
【実用新案登録請求の範囲】
【請求項１】
金属板に対象者の年表・経歴・職歴・成績・功績・表彰歴・写真・イラスト・徽章類の中から少なくとも一つを表示するとともに装飾配置した金属銘板を額縁に納めた装飾体。
【請求項２】
前記金属銘板を革製のアルバムに納めた請求項１記載の装飾体。
【請求項３】
前記金属銘板をアクリルパネルに納めた請求項１記載の装飾体。
【考案の詳細な説明】
【技術分野】
【０００１】本考案は、退職あるいは退官等をする方、あるいは亡くなられた方の経歴、職歴などや関係する写真や徽章等を見栄え良く配置表現した記念品としての装飾体に関するものである。
【背景技術】
【０００２】従来からオリジナル性が高い金属銘板を使用した装飾体は、主に団体や企業側から表彰商品としての需要があった。近年、団体や企業だけでなく、少人数グループの記念品や故人の想い出などにおける需要も高まりを見せてきている。
【考案の概要】
【考案が解決しようとする課題】
【０００３】オリジナル性が高い金属銘板を使用した装飾体は、一般的に１点ものあるいは数点のみの製作をすることが一般的である。つまり、製作コストを低く抑えるためには同一のものをまとまった数を作らなければならず、１点ものを作るにはコストがかかっていたため、製作コストを低くすることが求められていた。
【課題を解決するための手段】
【０００４】本考案は上記の目的を達成するために、金属板に対象者の年表・経歴・職歴・成績・功績・表彰歴・写真・イラスト・徽章類の中から少なくとも一つを表示するとともに装飾配置した金属銘板を額縁に納めた装飾体としたものである。
また、第２の課題解決手段は、前記金属銘板を革製のアルバムに納めた装飾体としたものである。
また、第３の課題解決手段は、前記金属銘板をアクリルパネルに納めた装飾体としたものである。加えて、金属銘板への文字、写真、イラストなどの表示に、特殊なプリンター、レーザー加工機、腐食加工技術を組み合わせることによって、低コストで金属銘板を使用した装飾体を製作することができるようになった。
【考案の効果】
【０００５】本考案によって、１点あるいは数点ものの金属銘板を使用し装飾体を低コストで製作することができるようになり様々なシーンで記念品として活用できるようになる。
【図面の簡単な説明】
【０００６】
【図１】額縁に納めたタテ向き装飾体の正面図
【図２】額縁に納めたヨコ向き装飾体の正面図
【図３】革製のアルバムに納めたタテ向き装飾体の正面図
【図４】革製のアルバムに納めたヨコ向き装飾体の正面図
【図５】アクリルパネルに納めたタテ向き装飾体の正面図
【図６】アクリルパネルに納めたヨコ向き装飾体の正面図
【考案を実施するための形態】
【０００７】図１及び図２に示すように、依頼者から預かった対象者の年表、経歴、職歴、成績、功績、表彰歴、写真、イラストなどのデータ並びに徽章類を基に、金属板上での配置やデザインを検討し、依頼者の承認を得たのち、特殊なプリンター、レーザー加工機、腐食加工技術などの装飾配置を組み合わせることによって加工した金属銘板１を額縁２に額装する。
【０００８】図３及び図４に示すように、上記と同様の方法で加工した金属銘板１を革製のアルバム３に納める。
【０００９】図５及び図６に示すように、上記と同様の方法で加工した金属銘板１をアクリルパネル４に納める。
【符号の説明】
【００１０】１  加工した金属銘板
２  額縁
３  革製のアルバム
４  アクリルパネル
【図１】
0003208288.tif 000003
【図２】
0003208288.tif 000004
【図３】
0003208288.tif 000005
【図４】
0003208288.tif 000006
【図５】
0003208288.tif 000007
【図６】
0003208288.tif 000008
(57)【要約】      （修正有）【課題】電池切れやコンセントの有無を気にせず、常時安心して利用できる太陽光等を利用の充電携帯端末を提供する。【解決手段】携帯端末のフタの外側全面に、太陽光モジュール１を一体的に設け、常時発電し充電される状態を維持する事を特徴とする。【選択図】図１
0003208292.tif 000002
【実用新案登録請求の範囲】
【請求項１】
携帯端末のフタの外側全面に太陽光モジュールを一体的に設け、常時発電し充電される状態を維持することができる事を特徴とする太陽光等を利用の充電携帯端末。
【考案の詳細な説明】
【技術分野】
【０００１】  本考案は携帯端末に太陽光等を利用して二次電池に自動充電を可能にした事に関する考案である
【背景技術】
【０００２】  従来の携帯端末、携帯電話、スマートフォン、ＩＰＡＤ、ノートパソコン等は内臓の二次電池が全部放電すると電池切れになり使用が出来なくなる製品がある。
【考案の概要】
【考案が解決しようとする課題】
【０００３】  従来の携帯端末は内臓された二次電池が全部放電すると電源コンセントとアダプターにより充電するしか方法が無く、充電が出来なければ使用不可能の状態になる。
【問題を解決する為の手段】
【０００４】  携帯端末のフタの外側全面に、太陽光モジュールを一体的に設け、常時発電して充電される状態を維持する事が出来る。
以上を特徴とする太陽光等を利用の充電携帯端末である。
【考案の効果】
【０００５】  従来の携帯端末は二次電池が全部放電すると電源コンセントとアダプターで充電しなければ使用不可能になるが、本案はフタの外側全面に太陽光モジュールを一体的に設けて常時充電可能であり、常に携帯端末の使用が可能である。
【図面の簡単な説明】
【０００６】
【図１】  本考案に於いて▲１▼ガラ系携帯電話  ▲２▼スマートフォン  ▲３▼ＩＰＡＤ  ▲４▼ノートパソコンのそれぞれに太陽光モジュールを設けた状態を示す斜視図である。
【符号の説明】
【０００７】  １  太陽光モジュール
【図１】
0003208292.tif 000003
(57)【要約】【課題】後部座席への乗り降りが容易に行える乗用自動車を提供する。【解決手段】後部座席１のシートと、その側方の後部ドア３との間の空間に配置された補助椅子２を備える。後部座席１の座面高さと、補助椅子２の座面高さが略同一である。後部座席１と後部ドア３との間の隙間に配置された補助椅子２があると、補助椅子２と車体外側枠との間が近くなるので、後部座席１への乗り入れが容易に行える。後部座席１と補助椅子２の座面高さが同じであると、その上で体を滑らせやすいので、乗り降りが楽に行える。【選択図】図１
0003208300.tif 000002
【実用新案登録請求の範囲】
【請求項１】
後部座席のシートと、その側方の後部ドアとの間の空間に配置された補助椅子を備える
ことを特徴とする乗用自動車。
【請求項２】
前記後部座席の座面高さと、前記補助椅子の座面高さが略同一である
ことを特徴とする乗用自動車。
【請求項３】
前記後部ドアには、該ドアを閉めたとき、前記補助椅子との干渉を回避するための凹所が形成されている
ことを特徴とする乗用自動車。
【考案の詳細な説明】
【技術分野】
【０００１】
本考案は、乗用自動車に関する。さらに詳しくは、後部座席への乗り入れが容易にできる乗用自動車に関する。
【背景技術】
【０００２】
特許文献１、２に示すように乗用車の後部座席は、シートと背もたれとからなる。乗用車の後部座席は、後タイヤのタイヤハウスに近接して配置されるため、シート幅が制限され、車体の幅方向内寸と後部ドアとの間に隙間が生ずることがある。
【０００３】
このような配置だと、人が後部車室に出入りするとき、非常に不安定な姿勢を強いられることがある。たとえば、出るときは尻がシートの端にのっているが、足が車体横の地面に着かないとか、後向きや横向きで入るとき足が地面に残っているとき尻をシートにのせられない、などである。
このような不便は、体力の弱い老人や女性にとってかなり大きいものである。
【先行技術文献】
【特許文献】
【０００４】
【特許文献１】特開平９−９９７５９号公報
【特許文献２】特開平１０−２５０４３２号公報
【考案の概要】
【考案が解決しようとする課題】
【０００５】
本考案は上記事情に鑑み、後部座席への乗り降りが容易に行える乗用自動車を提供することを目的とする。
【課題を解決するための手段】
【０００６】
第１考案の乗用自動車は、後部座席のシートと、その側方の後部ドアとの間の空間に配置された補助椅子を備えることを特徴とする。
第２考案の乗用自動車は、前記後部座席の座面高さと、前記補助椅子の座面高さが略同一であることを特徴とする。
第３考案の乗用自動車は、前記後部ドアには、該ドアを閉めたとき、前記補助椅子との干渉を回避するための凹所が形成されていることを特徴とする。
【考案の効果】
【０００７】
第１考案によれば、後部座席と後部ドアとの間の隙間に配置された補助椅子があると、補助椅子と車体外側枠との間が近くなるので、後部座席への乗り入れが容易に行える。
第２考案によれば、後部座席と補助椅子の座面高さが同じであると、その上で体を滑らせやすいので、乗り降りが楽に行える。
第３考案によれば、後部ドアに凹みを設けておくと、補助椅子を車体の端に近づけて配置できるので、乗り降りが容易に行える。
【図面の簡単な説明】
【０００８】
【図１】乗用車の図であって、（Ａ）図は側面図、（Ｂ）図は平面図である。
【図２】図１（Ａ）のII−II線矢視断面図である。
【図３】図１（Ｂ）に示す補助椅子を示す後部座席の斜視図である。
【考案を実施するための形態】
【０００９】
つぎに、本考案の実施形態を図面に基づき説明する。
図１において、Ａは乗用車である。多くの乗用車が備えているように、後部座席１と後部ドア３を有する。
後部座席１は、座席シート１ａと背もたれ１ｂとからなる。
【００１０】
図１（Ｂ）に示すように、後部座席１の側端縁と車体の内端との間には隙間ｄがあいている。この隙間ｄは１０ｃｍから２０ｃｍ位の大きいものもある。
【００１１】
図１（Ｂ）および図２に示すように、後部座席１の側端縁と車体の内端（後部ドアの内面）との間の隙間には、補助椅子２がおかれる。補助椅子２の大きさと形は隙間を埋める大きさと形であればよい。典型的には後部座席１の前後長さより若干短く、隙間ｄよりは幅狭な形状をとるが、これに限られない。なお、補助椅子２の前方外側の角は斜めか円弧状に成形するのが、乗降時に人の足にぶつからなくてよい。この斜めか円弧状に形成する大きさは、後部ドア３と後部座席１との間の空間の大きさによって、大きくも小さくも選定すればよい。要は足をぶつけないなどの使い勝手で決めればよい。
【００１２】
補助椅子２の取付けは、適当な構造の取付部材を用いて車体床面に固定すればよい。取付部材はたとえば金属板の折り板などを用い、ボルトで車体床面と補助椅子２に結合するのが代表的な例である。
【００１３】
後部座席１の座面高さと、補助椅子２の座面高さは略同一である。このように後部座席１と補助椅子２の座面高さが同じにしておくと、その上で体を滑らせやすいので、乗り降りが楽に行える。
【００１４】
自動車Ａの後部ドア３には、ドアを閉めたとき、補助椅子２との干渉を回避するための凹所４が形成されている。凹所４の凹み形状とその大きさは補助椅子２を受け入れ、かつ乗降する人の足に当たりにくい形と大きさにすればよい。このように、後部ドア３に凹所４を設けておくと、補助椅子２の幅寸法を車体の端に近づけて配置できるので、乗り降りが容易に行えることとなる。
【００１５】
以上のごとく、本考案では、後部座席と後部ドアとの間の隙間に配置された補助椅子２があるので、補助椅子２と車体外側枠との間が近くなるので、後部座席１への乗り入れが容易に行える。
【符号の説明】
【００１６】
１  後部座席
２  補助椅子
３  後部ドア
【図１】
0003208300.tif 000003
【図２】
0003208300.tif 000004
【図３】
0003208300.tif 000005
【手続補正書】
【提出日】平成28年11月7日(2016.11.7)
【手続補正１】
【補正対象書類名】実用新案登録請求の範囲
【補正対象項目名】全文
【補正方法】変更
【補正の内容】
【実用新案登録請求の範囲】
【請求項１】
後部座席のシートと、その側方の後部ドアとの間の空間に配置された補助椅子を備える
ことを特徴とする乗用自動車。
【請求項２】
前記後部座席の座面高さと、前記補助椅子の座面高さが略同一である
ことを特徴とする請求項１記載の乗用自動車。
【請求項３】
前記後部ドアには、該ドアを閉めたとき、前記補助椅子との干渉を回避するための凹所が形成されている
ことを特徴とする請求項１または２記載の乗用自動車。
【手続補正２】
【補正対象書類名】明細書
【補正対象項目名】０００６
【補正方法】変更
【補正の内容】
【０００６】
第１考案の乗用自動車は、後部座席のシートと、その側方の後部ドアとの間の空間に配置された補助椅子を備えることを特徴とする。
第２考案の乗用自動車は、第１考案において、前記後部座席の座面高さと、前記補助椅子の座面高さが略同一であることを特徴とする。
第３考案の乗用自動車は、第１または第２考案において、前記後部ドアには、該ドアを閉めたとき、前記補助椅子との干渉を回避するための凹所が形成されていることを特徴とする。
(57)【要約】      （修正有）【課題】イタチやハクビシンなどの小動物にとうもろこしの実を食べられることを防止するとうもろこしの実の保護カバーを提供する。【解決手段】とうもろこしの実１個全体を覆える金属製若しくは、プラスチック製の保護カバーで、保護カバーの長手方向の端部に蝶番又はヒンジを設け、対向側にフック状若しくはパッチン式の止め部を設けた。【選択図】図１
0003208922.tif 000002
【実用新案登録請求の範囲】
【請求項１】
とうもろこしの実を包む網状のかごで、その長手側又は、その９０度回転した側に蝶番又はヒンジ構成、反対方向側がフック状もしくはパッチン式の止め部を有するとうもろこしの実保護カバー
【考案の詳細な説明】
【考案の概要】
【考案が解決しようとする課題】
【０００１】
とうもろこしの実をイタチやハクビシンなどの小動物に食べられないようにするため、大量生産する場合は、畑の柵を電気網などで囲い対応するが、少量生産の場合は電気網などの設備投資ができない。そこで費用がかからず簡易に対応できる方法として市販ネットや、金網などで畑の周囲を囲い対策をするが、イタチやハクビシンなどの体が細い小動物は網の境目や土中からもぐって侵入するなどしてとうもろこしの実を食べらる被害は避けられない。そこでとうもろこしが少量生産でもとうもろこしの実をイタチやハクビシンなどの小動物に食べられないよにする簡易で費用もそれほどかからない方法が求められる。
【課題を解決するための手段】
【０００２】
とうもろこしの実１本を完全に覆うことができる金属またはプラスチックでできた保護カバーを１本毎に装着する。
【考案の効果】
【０００３】
金属やプラスチックでできた保護カバーが堅牢で且つ網目であることにより、イタチやハクビシンなど小動物がとうもろこしの実を食べられないように対策でき、網目によりとうもろこしの受粉や光合成のための日照確保もできるのでとうもろこしの成長も妨げることなく熟したとうもろこしが収穫できる。
【図面の簡単な説明】
【０００４】
【図１】Ｆig1・・・とうもろこしの実を今考案の保護カバーを装着した図  Ｆｉｇ２・・・今考案の保護カバー平面図、正面図、側面図  Ｆｉｇ３・・・今考案の保護カバーを開いた状態図  Ｆｉｇ４・・・今考案のヒンジ部分と突起部分を９０度回転方向に設けた図  尚、今考案の図には長方形状のかごを表してるが、この形状がとうもろこし１個全部をかごに収めることが可能であれば、網かごの形状は長方形でなくても楕円形他の形状でも今考案では容易に考えられる。
【符号の説明】
【０００５】
保護カバー・・・今考案の保護カバー  突起部分…保護カバーの長手方向又は９０度回転方向に設けられたフック状のパッチン式止め部  ヒンジ部分・・・突起部分の反対方向側に設けられたヒンジ  とうもろこし軸穴部・・・とうもろこしの実の茎(軸）を通す穴
【図１】
0003208922.tif 000003
【手続補正書】
【提出日】平成28年12月16日(2016.12.16)
【手続補正１】
【補正対象書類名】図面
【補正対象項目名】図１
【補正方法】変更
【補正の内容】
【図１】
0003208922.tif 000004
(57)【要約】      （修正有）【課題】エアーコンディショナーと寝具を一纒に収納した効率的なクリーンボックスを提供する。【解決手段】ドア板を前面に傾倒自在に取り付けたクリーンボックスであって、ドア板がベット台３になり、寝具５とエアコンをセットにした。又、クリーンボックスにエアコン用の上端冷風ルーバー１と下端温風ルーバー２を設けた。【選択図】図３
0003208927.tif 000002
【実用新案登録請求の範囲】
【請求項１】
エアコンと寝具とを組み合わせた箱です。
【請求項２】
ベツト台にエアーマットを嵌め、その上に、ハンガーパイプに挟み止めた二枚のタオルケットが重なる仕掛けです。
【請求項３】
上下二ヶ所に分け、上端は冷風ルーバーで、下端は温風ルーバーとした箱です。
【請求項４】
ドア板がベツト台となる仕掛けです。
【考案の詳細な説明】
【技術分野】
【０００１】本考案は、エアコンと寝具に関する。
【背景技術】
【０００２】従来は、家庭用エアコンの冷風と温風との吹出し窓であるルーバーは、一ヶ所を兼用していた。寝具では、保温に優れる綿をふんわりと布袋へ詰め込み、温みを逃がさず、体温を守る役割として掛布団は使われています。更に、敷布団も保温は勿論だが、背骨や腰の疲労負担を軽減する目的で弾力に優れる綿を分厚く布袋へ敷き詰めて使用している。そして、最近では、保温性により優れる羽毛布団も利用され。弾力を増す為に、敷マットも加えられ、更に優れる低反発マットも利用されています。その布団や敷マットを載せる台としてベツトも使われております。
【考案の開示】
【考案が解決しようとする課題】
【０００３】しかし、一ヵ所兼用のルーバーは、高所である天井付近から吹出し、重い冷風は、自然に床へと降り、部屋を冷やす冷房効率には優れているが、軽い温風は上昇気味で天井を暖めても床まで降り難く、部屋を暖める暖房効率には劣る課題があります。寝具である布団は、綿を布袋へ詰める事で、嵩高くなる課題もあり、分厚くなる課題もあり、重くなる課題もあり、抱え難く、運び難く、収納し難い、課題もあります。更に、部屋に置き据えのベツトは、寝る時は必要だが、寝ない時には嵩高く、部屋を独占し、リビング兼用としては利用し難く、邪魔な存在との課題もある。
【課題を解決するための手段】
【０００４】そこで、エアコンディショナーと寝具を一纒に収納したクリーンボックスの考案であります。床から天井付近まで高く伸びる縦長ボックスの、上端には冷風ルーバーを設け、床近くの下端には温風ルーバーを設け、真中は上から前へ横に開く自動開閉式ドアのボックスです。ドア板を横へ開けばベツト台となる、ドア＆ベツトのクリーンボックスであります、図２。そのベツト台の上には、エアーマットを嵌め込む仕掛けで、更に、エアーマットの上には、敷タオルケットと掛タオルケットの二枚を重ねます。ベツト台に仕掛けたハンガーパイプが二枚のタオルケットを挟み固定し、ズレも外れも落ちも出来ない工夫なのです。エアーマットへはコンプレッサーから送られる空圧で膨張し、自動弾力微調整の仕掛けもあります。次に、下端ルーバーから吹出す温風は部屋も暖めますが、直に、ベツト台も暖め、エアーマットへと温みの伝わり、敷タオルケットへと掛タオルケットへも温める仕掛けなのです。縦姿勢のドアに戻ればボックスは密閉し、と同時に、膨張エアーマットも窄み嵩低く収納できる仕掛けです。窄んでもドア板に嵌め殺しのエアーマットは、縦姿勢でも落ちも外れも出来ない工夫であり、二枚のタオルケットも縦姿勢で、今度は、ハンガーパイプに吊り架かる形となります。開ければベツト、閉じれば縦長エアコンとなる仕掛けのクリーンボックスなのです。
【考案の効果】
【０００５】よって、冷暖機能に優れるエアコンと寝具とをコラボする妙技で、部屋の空調も整え、ベツトも暖め、エアーマットへと伝わり、掛タオルケットと敷タオルケットの二枚の薄布だけでも、寒さ知らずに、保温に優れる寝具となります。エアーマットの空圧自動微調整で、体重、体形、寝姿も見計らい、適圧調整の快適快圧寝具で、背筋、腰の疲労負担も軽減します。ですから、保温と弾力の為の綿入り布団は要らず、嵩高、分厚い、重い、などの課題も解消でき、抱え難く、運び難く、収納し難いとの課題もクリアーします。自動開閉式のクリーンボックスで、開ければベツトが飛び出して寝室となり、閉じれば、ベツトも収納して縦長エアコンを据えたリビングへと早変わりして、部屋は寝室独占とはならず、邪魔ともならず、課題も解消できます。無論、天井付近の上端ルーバーからは冷風は降り、真下のベツトを直に冷やし、無駄なく効率よく冷房します。所謂、ベツトの上下に冷暖装置を仕掛けたクリーンボックスなのです。
【考案を実施するための最良の形態】
【０００６】本考案は、エアコンと寝具とが一個のボックスに収納する形態であります。図１、に示す様に縦長の箱で、上端には冷風ルーバーを設け、下端には温風ルーバーを設け、中程は、上から前へ開く自動扉の仕掛けです。図２、に示す様に、横にドア板が開けばベツト台となり、その上にはエアーマットが嵌り、更に、その上には、ハンガーパイプに挟み止めた、掛タオルケットと敷タオルケットが重なる仕掛けです。ベツトが縦姿勢となり、元のドアへ戻れば、エアーマットも縦姿勢であり、二枚のタオルケットも縦姿勢でハンガーパイプに吊り架かる仕掛けなのです。
【図面の簡単な説明】
【０００７】
【図１】本考案に係るクリーンボックスの斜視図である。
【図２】本考案であるクリーンボックスのドア板が横に開き、ベツト台となり、その上にはエアーマットも嵌り、更に、二枚重ねのタオルケットがハンガーパイプに挟み止めた斜視図です。
【図３】本考案のクリーンボックスの断面図である。尚、解り易くする為に、少しドアが開いた断面図である。
【符号の説明】
【０００８】１      上端冷風ルーバー
２      下端温風ルーバー
３      ドア板＝ベツト台
４      エアーマット
５      タオルケット。    敷タオルケット、掛タオルケット
６      エアーシリンダー。
Ａ      ハンガーパイプ。
２０    クリーンボックス。
【図１】
0003208927.tif 000003
【図２】
0003208927.tif 000004
【図３】
0003208927.tif 000005
【手続補正書】
【提出日】平成28年9月16日(2016.9.16)
【手続補正１】
【補正対象書類名】実用新案登録請求の範囲
【補正対象項目名】全文
【補正方法】変更
【補正の内容】
【実用新案登録請求の範囲】
【請求項１】
ドア板がベツト台になるクリーンボックス。
【請求項２】
寝具とエアコンとをセットにしたクリーンボックス。
【請求項３】
上端冷風ルーバーと下端温風ルーバーを設けたクリーンボックス。
【手続補正書】
【提出日】平成28年12月1日(2016.12.1)
【手続補正１】
【補正対象書類名】実用新案登録請求の範囲
【補正対象項目名】全文
【補正方法】変更
【補正の内容】
【実用新案登録請求の範囲】
【請求項１】
ドア板を前面に傾倒自在に取り付けたクリーンボックスであって、ドア板がベット台になるクリーンボックス。
【請求項２】
請求項１に記載のクリーンボックスであって、寝具とエアコンとをセットにしたクリーンボックス。
【請求項３】
請求項１叉は２に記載のクリーンボックスであって、上端冷風ルーバーと下端温風ルーバーを設けたクリーンボックス。
(57)【要約】      （修正有）【課題】観光業の振興に有効なセラミック製の聖火台のレプリカを持つヒツジ草型聖火台を提供する。【解決手段】最上部にセラミック製のバーナー２、その下に耐火型粉末ガラスにカーボンを混合したセラミック製のヒツジ草を模した構造物１、その下に耐火型粉末ガラスにカーボンを混合したセラミック製の聖火台３を持つ。尾瀬沼のヒツジ草を模したセラミックス製の構造物１と聖火台３のレプリカは耐火型粉末ガラスにカーボンを混合した物である。バーナー２はセラミックスとカーボンを混合した物である。尚、表面はすべて酸化チタンでコーティングしており、汚れを防止している。【選択図】図１
0003208928.tif 000002
【実用新案登録請求の範囲】
【請求項１】
最上部にセラミック製のバーナー、その下に耐火型粉末ガラスにカーボンを混合したセラミックス製の尾瀬沼のヒツジ草を模した構造物、その下に耐火型粉末ガラスにカーボンを混合したセラミックス製の旧聖火台のレプリカを持つ尾瀬沼のヒツジ草型聖火台。
【考案の詳細な説明】
【技術分野】
【０００１】  本考案は、聖火台に関するものである。
【背景技術】
【０００２】  国の借金は膨らんでいるが、一向に有効な解決手段は見つかっていない。解決方法の一つに観光の振興があるが、それの一助としたい。本考案はスタジアムと一体とした観光の振興を目指している。
【先行技術文献】
【特許文献】
【０００３】
【非特許文献】
【０００４】
【非特許文献１】奥田  重俊著  「日本野生植物館」１９９７年、小学館発行、
【非特許文献２】ＮＨＫ１ＣＨ，尾瀬の映像、２０１５年３月頃、ヒツジ草等放映、
【考案の概要】
【考案が解決しようとする課題】
【０００５】  解決しようとする問題点は、有効な観光資源の開発である。特にスタジアムと一体になった観光資源の開発である。
【課題を解決するための手段】
【０００６】  本考案は、上記の課題の解決を目指すもので、優れた外観を持つ聖火台であり、最上部にバーナー、その下に耐火型粉末ガラスにカーボンを混合したセラミック製の尾瀬沼のヒツジ草を模した構造物、その下に耐火型粉末ガラスにカーボンを混合したセラミックス製の旧聖火台のレプリカを持つ尾瀬沼のヒツジ草型聖火台である、【０００７】  色は最大の観光ポイントで、ヒツジ草の白を引き立たす為、バーナーとレプリカは火山の溶岩色とする、【０００８】  バーナーは、火山の噴火のような、噴炎を作る為に、コンプレッサーのエアーを活用、重要な演出とする。
【考案の効果】
【０００９】  本考案は優れた観光効果を有する。年に１億円、１００年で１００億円の経済的な効果をもたらす。
【図面の簡単な説明】
【００１０】
【図１】図１は本考案の尾瀬沼のヒツジ草型聖火台である。
【図２】尾瀬沼のヒツジ草の写真。
【図３】本考案のバーナーである。
【図４】本考案のバーナーを上から見た図である。
【図５】旧聖火台のレプリカの写真。
【図６】旧聖火台のレプリカの他の写真。
【図７】旧聖火台のレプリカの耐震用の詰物を上から見た図である。
【図８】旧聖火台のレプリカの耐震用の詰物の正面図。
【考案を実施する為の形態】
【００１０】  図１は本考案１の実施例である。１はヒツジ草を模した構造物であり、耐火型粉末ガラスにカーボンを混合した物である。２のバーナーはセラミックとカーボンを混合した物、３の旧聖火台レプリカは耐火型粉末ガラスにカーボンを混合した物である。尚、すべての表面には酸化チタンでコーティングしており、汚れを防止している。なを、上記１の尾瀬沼のヒツジ草を模したセラミックス製の構造物、２のバーナー、３の旧聖火台レプリカは３Ｄプリンターで作成する。
図２は、尾瀬沼のヒツジ草を模したセラミックス製の構造物１、図３は、本考案、２のバーナーである。２１はエアー口である。２２はガス口である。２３は支柱管との結合器具である。エアー口の幅は内輪は１ミリ、外輪は１．３ミリ、ガス口は、内輪が２ミリ、外輪は３ミリである。図４は、バーナーを上から見た図、図５は、旧聖火台のレプリカの写真、図６も旧聖火台のレプリカの他の写真、図７は旧聖火台のレプリカの耐震用詰物で上から見た図、図８は、旧聖火台のレプリカの耐震用詰物の正面図である。
【産業上の利用可能性】
【００１１】  本考案は、建設業、観光業の振興に有効である。
【符号の説明】
【００１２】  １  尾瀬沼のヒツジ草を模したセラミックス製の構造物
２  バーナー
２１  エアー口
２２  ガス口
２３  結合器具
３  旧聖火台のレプリカ
【図１】
0003208928.tif 000003
【図２】
0003208928.tif 000004
【図３】
0003208928.tif 000005
【図４】
0003208928.tif 000006
【図５】
0003208928.tif 000007
【図６】
0003208928.tif 000008
【図７】
0003208928.tif 000009
【図８】
0003208928.tif 000010
【手続補正書】
【提出日】平成28年9月12日(2016.9.12)
【手続補正１】
【補正対象書類名】実用新案登録請求の範囲
【補正対象項目名】全文
【補正方法】変更
【補正の内容】
【実用新案登録請求の範囲】
【請求項１】
最上部にセラミック製のバーナー、その下に耐火型粉末ガラスにカーボンを混合したセラミック製のヒツジ草を模した構造物、その下に耐火型粉末ガラスにカーボンを混合したセラミックス製の旧聖火台のレプリカを持つヒツジ草型聖火台。
【手続補正書】
【提出日】平成28年11月4日(2016.11.4)
【手続補正１】
【補正対象書類名】実用新案登録請求の範囲
【補正対象項目名】全文
【補正方法】変更
【補正の内容】
【実用新案登録請求の範囲】
【請求項１】
最上部にセラミック製のバーナー、その下に耐火型粉末ガラスにカーボンを混合したセラミック製のヒツジ草を模した構造物、その下に耐火型粉末ガラスにカーボンを混合したセラミック製の聖火台を持つヒツジ草型聖火台。